(57)【要約】【課題】吸着・脱着を繰返すことで連続運転を実施する有機溶剤除去システムで吸着経路と脱着経路と冷却経路を備えた吸着塔の運転経路を切替えるにはそれぞれの吸着塔の出口部または及び入口部に電磁弁または電動ボールバルブが多く必要となり、構成部品が高価で経路構成用の配管が複雑であった。【解決手段】吸着・脱着を繰返すことで連続運転を実施する有機溶剤除去システムで吸着経路と脱着経路と冷却経路を備えた吸着塔の運転経路を切替えるのに、外筒１には経路となる穴４ａ〜４ｄを有し、外筒１の内部に内筒２を備え、内筒２はガスの経路となる穴３を有し、下部より吸収される有機溶剤のガスを穴３を外筒の穴４ａ〜４ｄのいずれかに合わせ、吸着と脱着と冷却の経路を切替える切替器を吸着塔の入口部または及び出口部に備えることで、経路構成用の配管を簡素化し構成部品を安価にすることができ、連続自動運転が可能となる。【選択図】図１
2008062174.tif 000002
【特許請求の範囲】
【請求項１】
有機溶剤を吸着・脱着する吸着塔を備え、有機溶剤を含んだガスを吸引し吸着するための吸着経路と、吸着した有機溶剤を脱着し次の工程で燃焼もしくは液化して回収するための脱着経路と、脱着後吸着材を冷却し再生するための冷却経路を前記吸着塔に備え、前記吸着経路または脱着経路または冷却経路のいずれかの経路に切替える切替器を前記吸着塔の入口およびまたは出口に備えた有機溶剤除去システム。
【請求項２】
切替器は固定体としての外筒と可動体としての内筒を備え、外筒には前記内筒が回転できる円筒形の穴を備え、前記内筒を前記穴に挿入し回転することで前記内筒の前記穴を前記外筒の吸着経路と脱着経路と冷却経路のいずれかの経路を形成する穴にあわせることで前記吸着経路または前記脱着経路または前記冷却経路のいずれかの経路を形成することができる切替器を備えた請求項１記載の有機溶剤除去システム。
【請求項３】
切替器は固定体としての固定板と可動体としての可動板が面で接し、可動板を回転またはスライドさせることで吸着経路または脱着経路または冷却経路のいずれかの経路を形成する切替器を備えた請求項１に記載の有機溶剤除去システム。
【請求項４】
切替器はその固定体と可動体が有機溶剤にて犯されることのない樹脂や金属にて構成されている、もしくは犯されることのない材料で表面コーティングされている請求項１〜３のいずれかに記載の有機溶剤除去システム。
【請求項５】
切替器は固定体と可動体の接触部に樹脂系もしくは金属系のベアリング材料をもちいている請求項１〜４のいずれかに記載の有機溶剤除去システム。
【請求項６】
切替器は固定体と可動体の接触部のベアリング材料に接する部位にはステンレスもしくは溶剤に侵されない金属とする、もしくは金属部品を埋め込んだ請求項５記載の有機溶剤除去システム。
【請求項７】
切替器は固定体と可動体の近接部にラビリンス構造を備えた請求項６記載の有機溶剤除去システム。
【請求項８】
切替器は可動体を稼動させるモータと位置を検出するセンサーとセンサーの位置情報を与える切欠きをもった円盤とセンサーよりの信号によりモータを制御する制御機器を備えた請求項１〜８のいずれかに記載の有機溶剤除去システム。
【請求項９】
位置を検出するセンサーとしてリミットＳＷまたは赤外線ＳＷを用いた請求項８記載の有機溶剤除去システム。
【請求項１０】
切替器は電源投入時決められた初期位置に可動体が移動して停止する請求項１〜９のいずれかに記載の有機溶剤除去システム。
【請求項１１】
切替器は運転モードの切替に時間により一定間隔で切替える制御を備えた請求項９記載の有機溶剤除去システム。
【請求項１２】
切替器は可動体を停止の制御を実施したときにずれ等が発生した場合、再度可動体を動かし正しい位置にくるように移動して停止できる請求項１０記載の有機溶剤除去システム。
【請求項１３】
切替器は吸着塔に備えた有機溶剤の濃度を検出センサーにより運転モードを制御できる請求項１〜１２のいずれかに記載の有機溶剤除去システム。
【請求項１４】
切替器は吸着塔に備えた温度を検出するセンサーにより運転モードを制御できる請求項１〜１３のいずれかに記載の有機溶剤除去システム。
【請求項１５】
切替器は固定体と可動体の面接触部に凹凸部を備えた請求項１〜１４のいずれかに記載の有機溶剤除去システム。
【請求項１６】
切替器は固定体と可動体の面接触部にボールを埋め込んだ請求項１〜１５のいずれかに記載の有機溶剤除去システム。
【発明の詳細な説明】
【技術分野】
【０００１】
本発明は、揮発性有機化合物（ＶＯＣ）としての有機溶剤蒸気を、発生源から除去するための有機溶剤回収システムにおいて使用される有機溶剤除去システムに関する。
【背景技術】
【０００２】
近年、大気汚染防止の観点から、揮発性有機化合物（ＶＯＣ）の排出抑制、すなわち有機溶剤蒸気の発生源からの大気拡散防止が求められている。これを解決するために、種々の有機溶剤除去システムが開発されてきた。現在は燃焼による処理が大半をしめているが、溶剤放出による大気汚染を防止し溶剤を再利用するために、溶剤を回収処理する装置が望まれている。しかしながら、大気放出される有機溶剤は濃度が薄く、冷却し液化処理を実施するには、大きな吸着塔が必要となり装置全体に大規模なものとなる。このため小規模で安価な回収処理システムが望まれている。
【０００３】
コンパクトな回収処理システムは吸着・脱着の効率を高めるため、小型の吸着塔を複数個装備し、吸着と脱着を順番に繰返し行い、連続で自動運転するシステムが必要である。
【０００４】
従来、有機溶剤除去システムは大型のローダタイプの吸着材を用いて吸着材を回転させその吸着材の部位により吸着、脱着、再生を実施している。また吸着材を内臓した吸着塔を用いて複数の吸着塔による処理を実施する場合はほとんどが２個の吸着塔により実施さる。いずれの場合も吸着材が大型のものが必要になる。また、複数の小型の吸着塔を用いた例として特許文献１のような例があるが、吸着塔と脱着塔と冷却塔の入口と出口それぞれに電磁弁が必要になり配管が複雑で高価なものとなる。
【０００５】
以下、図５により複数の小型の吸着塔を用いた有機溶剤除去システムを説明する。
【０００６】
吸着塔Ａ〜Ｆには、ガス化した有機溶剤を吸着する吸着材が充填されており、併せて吸着材を加熱する加熱装置も装備されている。ガス化した有機溶剤は吸着入口経路１０１を通り吸着塔Ａ〜Ｆにて吸着され吸着出口経路１０３を通り吸着送風装置１０４により清浄空気として排出される。吸着塔Ａ〜Ｆに吸着された有機溶剤は加熱され、脱着送風装置１０６により脱着出口経路１０５を通り、燃焼装置または液化回収装置へ移送される。脱着の終了した吸着塔Ａ〜Ｆは再度吸着を行うため温度を下げる必要がある。冷却入口経路１０７と冷却出口経路１０８と冷却送風装置１０９により送風による冷却を行い、吸着塔Ａ〜Ｆは再度吸着を行うことができるように再生される。
【０００７】
このように有機溶剤除去システムは吸着塔Ａ〜Ｆにて吸着、加熱、脱着、冷却の運転モードを繰返し有機溶剤を回収する。仮に吸着塔Ａ〜Ｃを吸着運転モード、吸着塔Ｄを加熱運転モード、吸着塔Ｅを脱着運転モード、吸着塔Ｆを冷却運転モードとすると、次の工程では吸着塔Ｆが吸着運転モードとなり吸着塔Ａ，Ｂ，Ｆが吸着運転モード、吸着塔Ｃが加熱運転モード、吸着塔Ｄが脱着運転モード、吸着塔Ｅが冷却運転モードとなる。
【０００８】
このように吸着塔の運転モードを順番に変更し、吸着・脱着を繰返し、有機溶剤を濃縮して回収することができる。図５のシステムでは３回の吸着運転モードの有機溶剤を１回の脱着にて回収するので、約３倍に濃縮された有機溶剤にて回収が可能となり、さらに通常脱着風量は吸着風量より小さいので更なる濃縮が可能となる。運転モードの切替はそれぞれの経路を切替えを電磁弁にて実施する。このため電磁弁は吸着入口経路１０１、吸着出口経路１０２、脱着出口経路１０３、脱着出口経路１０５、冷却入口経路１０７、冷却出口経路１０８に備える必要があり、制御器３１は吸着、脱着、冷却の運転モードに応じた経路となるように電磁弁を開閉する。
【特許文献１】特開平１−７６０８９号公報
【発明の開示】
【発明が解決しようとする課題】
【０００９】
このように吸着・脱着を前記吸着塔で実施する除去装置は連続して有機溶剤を回収することが可能である。しかし、吸着塔Ａ〜Ｆより脱着された有機溶剤の濃度が低い場合や濃度の変化が激しい場合、前記処理工程の燃焼装置、液化回収装置を正常に運転することができないため、前記吸着塔より脱着する有機溶剤の濃度を上げて安定させる必要がある。
【００１０】
前記吸着運転モードを複数個の吸着塔で実施した場合、その吸着塔の個数分の濃縮が可能である。このように、吸着塔の数を増やすことで吸着塔より脱着する有機溶剤の濃度を上げてより安定した処理システムの構築が可能である。しかし、吸着塔の数を増やすことは、吸着塔１塔に対しその吸着経路と脱着経路と冷却経路のそれぞれの入口、出口を増やすことになり、１対１で入切する高価な電磁弁やボールバルブを多数使用することになる。また、配管も途中に電磁弁やボールバルブを挿入するため多くの配管が必要となるという課題があった。また、複数の吸着塔を備えているため、吸着塔の動作を制御するのも複雑で、連続動作にて安定して自動運転することが難しい。
【００１１】
本発明は小型の吸着装置を複数備える有機溶剤除去装置において、吸着経路と脱着経路と冷却経路をそれぞれ切替えることのできる切替器を前記吸着塔の入口側またはおよび出口側に備えることで、吸着経路と脱着経路と冷却経路の配管を簡素化し、吸着経路と脱着経路と冷却経路をそれぞれ切替えるのに電磁弁および電動バルブといった高価な部品を使用することなく製作でき、制御やセンサーを備えることで連続で自動運転できる有機溶剤の除去処理システムを提供することを目的としている。
【課題を解決するための手段】
【００１２】
本発明の有機溶剤除去システムは、上記目的を達成するために吸着塔の備える吸着経路と脱着経路と冷却経路を切替えるのに高価な電磁弁および電動バルブを用いるかわりに、前記吸着経路と脱着経路と冷却経路の経路を切替える切替器を吸着塔の入口部または及び出口部に備えたものである。
【００１３】
この手段により、吸着経路と脱着経路と冷却経路を切替えるのに複数の電磁弁やバルブを必要としていたが、ひとつの切替器で吸着経路と脱着経路と冷却経路を切替えることがき、配管を簡素化し、安価で連続運転できる有機溶剤除去システムを得られる。
【００１４】
また、本発明の有機溶剤除去システムの切替器は上記目的を達成するために、可動体を円筒形にした内筒と前記内筒をその内部に挿入することのできる固定体としての外筒により構成され、前記外筒には吸着経路と脱着経路と冷却経路となる穴を複数個備えて、前記内筒に切替用の穴を備え、内筒を回転させて前記外筒の前記穴と合わせることで吸着経路と脱着経路と冷却経路を構成するとしたものである。
【００１５】
この手段により、吸着経路と脱着経路と冷却経路を切替える切替器が供給でき、前記切替器を吸着塔の入口部または及び出口部に備えることで、吸着経路と脱着経路と冷却経路を構成する配管を簡素化し、構成部品を安価にした有機溶剤除去システムを得られる。
【００１６】
また、本発明の有機溶剤除去システムの切替器は上記目的を達成するために、固定体としての固定板と可動体としての可動板が面で接し、固定板には吸着・脱着・冷却の経路を構成するの穴を備え、可動板には経路切替用の穴を備え、可動板を回転またはスライドさせることで吸着経路と脱着経路と冷却経路を構成するとしたものである。
【００１７】
この手段により、吸着経路と脱着経路と冷却経路を切替える切替機器を供給でき、前記切替器を吸着塔の入口部または及び出口部に備えることで、吸着経路と脱着経路と冷却経路を構成する配管を簡素化し、構成部品を安価にした有機溶剤除去システムを提供することができ、切替器の構成部品を簡素化することがが得られる。
【００１８】
また、本発明の有機溶剤除去システムの切替器上記目的を達成するため、その固定体と可動体が有機溶剤にて犯されることのない樹脂や金属にて構成されている、もしくは犯されることのない材料で表面コーティングされたものである。
【００１９】
この手段により、切替器の構成部品が有機溶剤のガスに犯されること無く長期に渡り使用し続けることが可能となり、連続で自動運転のできる有機溶剤除去システムを得られる。
【００２０】
また、本発明の有機溶剤除去システムの切替器は上記目的を達成するため、固定体と可動体の接触部に樹脂系もしくは金属系のベアリング材料を備えたものである。
【００２１】
この手段により、本発明の有機溶剤除去システムの切替器は固定体と可動体の接触部が磨耗により削減されることなく長期に渡り使用し続けることができ、連続で自動運転可能な有機溶剤除去システムが得られる。
【００２２】
また、本発明の有機溶剤除去システムの切替器は上記目的を達成するため、固定体と可動体の接触部のベアリング材料に接する部位にはステンレスもしくは溶剤に侵されない金属、もしくは金属部品を埋め込んだものである。
【００２３】
この手段により、本発明の有機溶剤除去システムの切替器は固定体と可動体の接触部の摩擦が更に減少し、使用する樹脂が磨耗することなく長期に渡り使用し続けることができ、連続で自動運転可能な有機溶剤除去システムが得られる。
【００２４】
また、本発明の有機溶剤除去システムの切替器は上記目的を達成するため、固定体と可動体の近接部にラビリンス構造を備えたものである。
【００２５】
この手段により、本発明の有機溶剤除去システムの切替器は密閉性を高め、有機溶剤の漏れを減少することが可能となり、連続で自動運転可能な有機溶剤除去システムが得られる。
【００２６】
また、本発明の有機溶剤除去システムの切替器は上記目的を達成するため、可動体を稼動させるモータと位置を検出するセンサーとセンサーの位置情報を与える切欠きをもった円盤とセンサーよりの信号によりモータを制御する制御器を備えた構成としたものである。
【００２７】
この手段により、本発明の有機溶剤除去システムの切替器は制御器により、吸着塔の運転モードを自動で切替えることが可能となり、連続で自動運転することが可能な有機溶剤除去システムを得られる。
【００２８】
また、本発明の有機溶剤除去システムの切替器は上記目的を達成するため、位置を検出するセンサーとしてリミットＳＷまたは赤外線ＳＷを用いたものである。
【００２９】
この手段により、本発明の有機溶剤除去システムの切替器は安価な材料にて自動運転が可能となる。また、赤外線ＳＷを用いる場合は切欠きを備えた板金により円盤を構成することが可能になり、連続で自動運転可能な有機溶剤除去システムを得られる。
【００３０】
また、本発明の有機溶剤除去システムの切替器は上記目的を達成するため、電源投入時に決められた初期位置に可動体が移動して停止する制御機能を備えている。
【００３１】
この手段により、本発明の有機溶剤除去システムの切替器の可動体は常に同じ位置から運転を開始し、連続で自動運転が可能となる有機溶剤除去システムが得られることになる。
【００３２】
また、本発明の有機溶剤除去システムの切替器は上記目的を達成するため、運転モードの切替を時間により一定間隔で切替える制御を備えるものである。
【００３３】
この手段により、本発明の有機溶剤除去システムの切替器は一定時間で吸着塔の経路を切替えることができ、連続で自動運転可能な有機溶剤除去システムを得られる。
【００３４】
また、本発明の有機溶剤除去システムの切替器は上記目的を達成するため、可動体を停止の制御を実施したときにずれ等が発生した場合、再度可動体を動かし正しい位置に停止するように、移動して停止できる制御を備えたものである。
【００３５】
この手段により本発明の有機溶剤除去システムの切替器は常に正しい位置に可動体を移動し停止することが可能となり、切替器を正しく動作することが可能となり、連続で自動運転可能な有機溶剤除去システムを得られる。
【００３６】
また、本発明の有機溶剤除去システムの切替器は上記目的を達成するため、吸着塔に備えた有機溶剤の濃度を検出センサーにより運転モードを制御できる機能を備えたものである。
【００３７】
この手段により、本発明の有機溶剤除去システムの切替器は吸着塔内の有機溶剤のガス濃度により、吸着を実施する運転モード時に吸着性能の最大値の濃度を検出し、停止もしくはモード切替を早期に実施する制御を備え、脱着を実施する運転モード時に、脱着出口のガス濃度の検出により、脱着運転モードの完了を検知し脱着が完了しない場合運転時間を延長する制御を備えることで確実な処理を実施することができ、連続して自動運転できる有機溶剤除去システムをえられる。
【００３８】
また、本発明の有機溶剤除去システムは上記目的を達成するため、吸着塔に備えた温度を検出するセンサーにより装置の運転を制御できる制御を備えたものである。
【００３９】
この手段により本発明の有機溶剤除去システムは吸着塔加熱装置の異常を検出することができ、吸着塔への送風装置の風量を変更する際、加熱装置を制御し最適温度とすることが可能となり、連続して自動運転できる有機溶剤除去システムを得られる。
【００４０】
また、本発明の有機溶剤除去システムの切替器は上記目的の達成のために、固定体である固定板と可動体である可動板の接触面に凹凸をもたせ、可動板の動作時にこの凹凸により可動板を固定板に面で接触することなく回転またはスライドすることができるものである。
【００４１】
この手段により本発明の有機溶剤除去システムの切替器は固定板と可動板の磨耗を減少することができ、長期にわたり連続して自動運転できる有機溶剤除去システムをえられる。
【００４２】
また、本発明の有機溶剤除去システムの切替器は上記目的達成のために、固定板にボールを埋め込み、可動板の動作時にこのボールと可動板が接触することで固定板と可動板が面で接触することなく可動板が回転またはスライドすることができるものである。
【００４３】
この手段により本発明の有機溶剤除去システムの切替器は固定板と可動板の磨耗を減少することができ、長期にわたり連続して自動運転できる有機溶剤除去システムを得られる。
【発明の効果】
【００４４】
本発明によれば有機溶剤の吸着材による吸着・脱着を行う、複数の吸着塔を備えた有機溶剤除去システムで、個々の吸着塔の入口部または及び出口部に吸着経路と脱着経路と冷却経路の切替を行う切替器を備えることで、有機溶剤を濃縮し除去することができ、配管を簡素化し、構成部品が安価な有機溶剤除去システムを提供できる。また、様々なセンサーより信号を受け取り切替器を適正に動作させることで、不具合や過負荷といった場合にも対応でき連続での自動運転を確実にし、長期に渡りに動作させることができる。
【発明を実施するための最良の形態】
【００４５】
本発明の請求項１の発明は、有機溶剤を吸着・脱着する吸着塔を備え、有機溶剤を含んだガスを吸引し吸着するための吸着経路と、吸着した有機溶剤を脱着し次の工程で燃焼もしくは液化して回収するための脱着経路と、脱着後吸着材を冷却し再生するための冷却経路を前記吸着塔に備え、前記吸着経路または脱着経路または冷却経路のいずれかの経路に切替える切替器を前記吸着塔の入口およびまたは出口に備えた有機溶剤除去システムであり前記吸着経路または脱着経路または冷却経路を切替えるのに高価な電磁弁および電動バルブを用いるかわりに、前記吸着経路または脱着経路または冷却経路の経路を切替える１対多の切替器を吸着塔の入口部または及び出口部に備えることにより、吸着経路と脱着経路と冷却経路の入口経路およびまたは出口経路のそれぞれの経路に対し１対１の切替器に比べて、配管が簡素化でき、構成部品を安価にすることのできるという作用を有する。
【００４６】
本発明の請求項２記載の発明は、有機溶剤除去システムの切替器は固定体としての外筒と可動体としての内筒を備え、外筒には前記内筒が回転できる円筒形の穴を備え、前記内筒を前記穴に挿入し回転することで前記内筒の前記穴を前記外筒の吸着経路と脱着経路と冷却経路のいずれかの経路を形成する穴にあわせることで前記吸着経路または前記脱着経路または前記冷却経路のいずれかの経路を形成することができる切替器を備え、制御器より回転移動、停止の命令を受け取り動作することにより、連続で自動運転ができるという作用を有する。
【００４７】
本発明の請求項３記載の発明は、有機溶剤除去システムの切替器は固定体としての固定板と可動体としての可動板が面で接し、可動板を回転またはスライドさせることで吸着経路または脱着経路または冷却経路のいずれかの経路を形成する切替器を備え、制御器より回転移動、停止の命令を受け取り動作することにより、連続で自動運転ができるという作用を有する。
【００４８】
本発明の請求項４記載の発明は、請求項２および３に記載の切替器の有機溶剤のガスの経路は有機溶剤に犯されることのない樹脂材料を使用する。塩素系炭化水素有機溶剤の場合、テフロン（登録商標）樹脂を使用する。また、ステンレスおよびまたはアルミニウムを用いることも可能でありテフロン（登録商標）コーティングされた炭素鋼を使用することも可能である。これにより長期間に渡り、装置を連続自動運転することができるという作用を有する。
【００４９】
本発明の請求項５および６記載の発明は、可動体となる内筒と固定体となる外筒を構成する上下の蓋が接触面となる。内筒の上下両面にステンレスのワッシャ−を取り付け、外筒の蓋に樹脂系ベアリング材料のワッシャ−をとりつけ接触させることで、接触部の耐磨耗性を向上させ、かつ有機溶剤ガスの経路の密閉性を高めることができるという作用を有する。
【００５０】
本発明の請求項７記載の発明は、固定体と可動体の近接部に凹凸の形状を設け、接する事の無いように凹凸部をあわせることで、凹凸部による圧損により密閉性を高めるという作用を有する。
【００５１】
本発明の請求項８記載の発明は、可動体と連動して回転または移動する位置情報板に切欠きを位置情報検出部として設け、運転モードに応じた経路を構成する穴位置に切欠きの位置を連動させて、その位置にセンサーを備えセンサーより制御器に信号で位置情報を送り制御器より、可動体と位置情報板に取付けたモータを運転、停止することで可動体の穴位置を経路を形成する正しい位置に停止することができる。これにより経路切替が制御器より実施でき、有機溶剤除去システムとして自動での運転が可能となるとなる作用を有する。
【００５２】
本発明の請求項９記載の発明は、位置センサーにはリミットＳＷまたは赤外線ＳＷを用いることで、安価な部品にてガスの経路切替器を提供できるという作用を有する。
【００５３】
本発明の請求項１０記載の発明は、有機溶剤除去システムの運転開始時にそれぞれの吸着塔が運転開始時の運転モードとなる必要がある。このため電源投入時には必ず運転開始時の運転モードの位置となるようにそれぞれの吸着塔に備えた切替器を動作し正しいそれぞれの運転モード位置で停止させることで、各々の吸着塔が初期運転モードで運転することができる。これにより、有機溶剤除去システムの運転を順次進めていくことが可能になり、自動での連続運転が可能となる作用を有する。
【００５４】
本発明の請求項１１記載の発明は、本システムにて処理する有機溶剤の平均ガス濃度が一定の場合、吸着、脱着の各運転モードを一定時間にて切替えることで、問題なく処理が可能である。制御器からの運転モード切替命令を一定時間間隔とすることで有機溶剤除去システムを連続にて運転することができるという作用を有する。
【００５５】
本発明の請求項１２記載の発明は、本システムの運転時に可動体の停止位置がずれた場合、位置情報板による位置センサーにもずれが生じるため、制御器にて位置センサーの信号を監視し、ずれが生じた場合、可動体を移動するモータを運転し、正しい位置で停止させることで、本有機溶剤除去システムが異常な運転をすることなく連続自動運転をすることができるという作用を有する。
【００５６】
請求項１３記載の発明は、本システムにて処理する有機溶剤の平均ガス濃度が一定でない場合、その濃度に応じて吸着塔の吸着時間を短くする必要がある。吸着塔内に濃度センサーを内臓し、処理濃度を計測し制御器により吸着運転モードの時間を短くし切替器にて運転モード切替を実施することで、吸着塔の破瓜といった現象を削減することができるという作用を有する。
【００５７】
請求項１４記載の発明は、吸着塔内に温度センサーを備え温度計測することで吸着塔内に設置された加熱装置に異常を生じた場合に、制御器により運転モード切替を実施することができるという作用を有する。また、危険がある場合にはシステムの停止を実施することができる。
【００５８】
請求項１５記載の発明は有機溶剤除去システムの切替器は固定体と可動体の面接触部に凹凸部を備えることで、可動面の摩擦力を軽減し、磨耗を防ぐことで有機溶剤除去システムを長期に渡り使用することができるという作用を有する。
【００５９】
請求項１６記載の発明は有機溶剤除去システムの切替器は固定体と可動体の面接触部にボールを埋め込んだもので、可動面の摩擦力を軽減し、磨耗を防ぐことで有機溶剤除去システムを長期渡り使用することができるという作用を有する。
【００６０】
以下、本発明の実施の形態について、図１〜図４を参照しながら説明する。
【００６１】
（実施の形態１）
図３は本発明の有機溶剤処理システムの吸着・脱着部の配管概要図である。有機溶剤のガスを吸引し吸着塔内の吸着剤へ吸着させる吸着運転モード、吸着塔へ吸着された有機溶剤を吸着材を加熱することで脱着し次工程へ送風する脱着運転モード、脱着の完了した脱着材を冷却し再生する冷却運転モード、各々の運転モードにおいてその経路は１対多の切替器２１ａ〜２１ｆ、切替器２２ａ〜２２ｆにより構成される。吸着運転モードの場合吸着入口経路２２と吸着出口経路２３が吸着塔に対して経路が開となり吸着送風装置２４を運転することで吸着運転モードが実施できる。脱着運転モードの場合は脱着入口経路２５と脱着出口経路２６が冷却運転モードの場合は冷却入口経路２８と冷却出口経路２９がそれぞれ吸着塔に対し開となり、それぞれの送風装置を運転することで、脱着運転モードおよび冷却運転モードを実施できる。なお、加熱運転モードは吸着塔内を加熱するため切替器２１ａ〜２１ｆ、切替器２２ａ〜２２ｆは経路を閉とする動作を実施する。具体的には吸着塔Ａ、Ｂ、Ｃを吸着運転モードで運転し吸着塔Ｄを加熱運転モード、吸着塔Ｅを脱着運転モード、吸着塔Ｆを冷却運転モードで運転していた場合、吸着塔Ａ〜Ｃの切替器は吸着運転モードに、吸着塔Ｄの切替器は加熱運転モードに、吸着塔Ｅの切替器は脱着運転モードに、吸着塔Ｆの切替器は冷却運転モードになるように経路を構成する。次の運転モードに進んだ場合、吸着塔Ｆ、Ａ、Ｂが吸着運転モード、吸着塔Ｃが加熱運転モード、吸着塔Ｄが脱着運転モード、吸着塔Ｅが冷却運転モードとなる。
【００６２】
このように運転モードを順番に送ることで各吸着塔は吸着・脱着を繰返し連続で使用することができる。脱着運転モードより送風された有機溶剤は燃焼もしくは液化にて処理される。また、吸着運転モード、冷却運転モードを実施した空気は有機溶剤の濃度が低いため大気放出可能であり、排気設備とともに大気に排出される。装置の吸着入口及び出口、脱着入口及び出口、冷却入口及び出口はそれぞれの吸着塔と集合ＢＯＸを用いて結合される。
【００６３】
このような有機溶剤除去システムにおいてその運転モード経路を切替える１対多の切替器により、装置の管は途中に１対１の切換器である電磁弁またはボールバルブを備える必要がなくなる。
【００６４】
１対多の切替器は、入口経路あるいは出口経路の１に対して、２つ以上の複数の出口経路あるいは入口経路に切換、経路接続するものであり、１対１の切替器は、入口経路あるいは出口経路の１に対して、１つの出口経路あるいは入口経路に切換、経路接続するものである。
【００６５】
次に切替器の動作について図１により説明する。図１は、本発明の実施の形態１における有機溶剤除去装置の経路切替器である。図１において外筒１には経路となる穴４ａ〜４ｄを有し、外筒１の内部に内筒２を備える。内筒２はガスの経路となる穴３を有し、下部より吸収される有機溶剤のガスを穴３を外筒の穴４ａ〜４ｄのいずれかに合わせることで、ガスの経路の切替を実施する構成となっている。
【００６６】
制御器３１よりモータ７を運転し、内筒２と位置決め円盤６を回転させる。位置決め円盤には切欠きがありこの切欠きが位置センサー５の位置に移動したときに位置センサー５より制御器に信号がおくられ、制御器よりモータ７を停止する。この位置決め円盤６を内筒２の穴３が外筒１のガスの経路を形成する穴４ａ〜４ｂと合致する位置に位置センサー５を設置することで、外筒１の穴４ａ〜４ｂと内筒２の穴３をモータ７の運転、停止することで有機溶剤のガスの経路を切替え、吸着塔の運転運転モードを変更することが可能となる作用を有する。前記位置センサーはリミットスイッチまたは赤外線センサーを利用することで実現できる。赤外線センサーを用いた場合、前記円盤６は板金でも製作可能であり、安価で簡素化できる。これにより、高価な電磁弁やボールバルブを使用することなく、吸着経路、脱着経路と冷却経路の切替が実施でき、かつ連続して自動運転可能なシステムを構成することが可能となる。また、経路の追加にも対応できるため機器の配管を容易にする効果もある。
【００６７】
（実施の形態２）
図２は、本発明の実施の形態２における有機溶剤除去装置のガスの経路切替器である。
【００６８】
図２において固定板１１はガスの経路となる穴１２ａ〜１２ｃを有し、固定板１１に接触し回転する可動板１３はガスの経路となる穴１４を有し、可動板１３は制御器３１により運転、停止するモータ１５により回転、停止する。可動板に連動して回転する位置決め円盤１６は切欠きを有し、この切欠きが位置センサー１７の位置に移動したときに位置センサー１７より制御器に信号が送られ、制御器よりモータ１５を停止する。この位置決めの円盤１７を可動板の有する穴１４が固定板１１の有するガスの経路を形成する穴１２ａ〜１２ｃのいずれかの位置に合致する位置に備え、制御器３１よりモータ１５を運転、停止することで有機溶剤のガスの経路を切替え、吸着塔の運転モードを変更することが可能となる作用を有する。前記位置センサーはリミットスイッチまたは赤外線センサーを利用することで実現できる。赤外線センサーを用いた場合、前記円盤６は板金でも製作可能であり、安価で簡素化できる。
【００６９】
これにより、高価な電磁弁やボールバルブを使用することなく、吸着経路、脱着経路と冷却経路の切替が実施でき、かつ連続して自動運転可能なシステムを構成することが可能となる。また、経路の追加にも対応できるため機器の配管を容易にする効果もある。
【００７０】
（実施の形態３）
図１、図２における本発明による切替器は有機溶剤のガスの経路となるため、空気の通り路は有機溶剤に対し耐腐食性のある材料で構成される必要がある。具体的にはテフロン（登録商標）樹脂、ポリプロピレン樹脂などがある。またステンレスの耐腐食性の高い材料を使用することも可能である。コストを抑えるため経路となる部分にのみテフロン（登録商標）コーティングを施した鋼材を利用することも可能である。これにより前記切替器が有機溶剤により腐食すること無く、長期に渡り運転可能な有機溶剤除去システムを提供することが可能となる。
【００７１】
（実施の形態４）
図１において内筒２は底板８と上部板９と接触し回転する。この接触部がの摩擦が大きくなったり磨耗したりすることを防ぐために、リング状のベアリング材を内筒２の上部にベアリングリング４０を下部にベアリングリング４１を取付け上部板にはステンレスのワッシャ−４２を底板にもステンレスのワッシャ−４３を取付け、ベアリングリング４０とワッシャ−４２がベアリングリング４１とワッシャ−４３がそれぞれ接触し回転できるようにすることで内筒および上部板、底板の磨耗を防ぐだけでなく、内筒の回転もスムーズになりモータ７への負荷を低減できる。ベアリング材としては油を含浸させた樹脂または金属の材料がある。これにより切替器は磨耗することなく長期に渡り確実に経路の切替を実施することができ、有機溶剤除去システムの長期間使用におけるメンテナンスを簡易にすることができる。
【００７２】
（実施の形態５）
図４の固定板１１と可動板１３は一部で接触し回転による摩擦を小さくしているが、その他の部位は接触しないような構成である。このように接触部分がすくないため経路構成時の空気の漏れが発生する可能性があるが。図４に示すようにに固定板１１と可動板１３の近接部に凹凸の構造を重ね合わせラビリンス構造とすることで、圧損を利用し密閉度を上げることが可能である。凹凸部の圧損が非接触部の隙間より空気の排出及び浸入を抑えることができる。この構造により、接触部を大きく構成する必要がなくなり、構造を簡易にすることが可能である。
【００７３】
（実施の形態６）
本システムの電源投入時には、必ず前記切替器を動作させ、その切替器のあらかじめ指定された初期位置に停止させる。これは本システムの備える複数の吸着塔はそれぞれが連動して動作を行うため、各々の吸着塔の運転モードはすべて連動されなければならない。
【００７４】
電源投入時に吸着塔の運転モードをあらかじめ決めて運転を開始する必要がある。よって前記吸着塔の運転モードを選択する切替器は電源投入時にあらかじめ決められた運転モードになっている必要がある。前記位置センサーはリミットスイッチまたは赤外線センサーを利用することで実現できる。赤外線センサーを用いた場合、前記円盤６は板金でも製作可能であり、安価で簡素化できる。このことにより、有機溶剤除去システムを連続で自動運転することが可能となり、安定した運転が可能となる。
【００７５】
（実施の形態７）
本システムは吸着塔で吸着・脱着を繰返し、有機溶剤を回収処理するシステムで吸着塔には吸着材が備えられ、この吸着材の吸着量を超えて吸着することはできない。このため吸着運転は吸引する有機溶剤の濃度により一定時間内に実施される必要がある。吸着・脱着・冷却の切替を一定時間間隔で実施することで連続して有機溶剤を回収処理することができる。尚、一定時間はその吸着塔の設計および有機溶剤の濃度によるが、おおよそ５分〜１０分程度で実施するのが効率よくシステムを運転することができる。吸着塔はできるだけ小型化し効率よく吸着・脱着を繰返す必要があるが、吸着材の性能として５分〜１０分程度で運転できるシステムが効率が最良の状態にあり、これより長くても短くても効率は落ちることになる。このことにより、有機溶剤除去システムの吸着材を最適な大きさに構成することができ、長期に渡り吸着材が破瓜することなく、連続で自動運転することが可能となる。
【００７６】
（実施の形態８）
前記切替器２１ａ〜２１ｆ、切替器２２ａ〜２２ｆは内筒２を回転し、内筒２と連動して回転する前記円盤６に備えられた切欠きにより位置センサー５により停止し、吸着塔に備えられた吸着、脱着、冷却の経路を切替えることで運転モードを切替える。このとき内筒２の位置が所定の位置からはずれた場合、オーバランすることが考えられ、位置センサー５からの信号により位置のずれが判断できる。この位置センサーの情報により制御器は再度モータ７を運転し所定の位置にて停止するような制御を備えている。前記位置センサーはリミットスイッチまたは赤外線センサーを利用することで実現できる。赤外線センサーを用いた場合、前記円盤６は板金でも製作可能であり、安価で簡素化できる。このことにより、有機溶剤除去システムを連続で自動運転することが可能となる。
【００７７】
（実施の形態９）
本システムは吸着塔で吸着・脱着を繰返し、有機溶剤を回収処理するシステムで吸着塔には吸着材が備えられ、この吸着材の吸着量を超えて吸着することはできない。実際の形態８で述べたように一定時間間隔で運転することで一定濃度の有機溶剤を処理することは可能であるが、濃度が変化し高濃度の有機溶剤を吸引した場合、吸着材が破瓜してしまう。
【００７８】
吸着塔に有機溶剤の濃度を検出するセンサーを備えることで、一定濃度を超えた有機溶剤を吸引した場合、吸着送風装置の風量を減少させて吸着量を抑え、吸着時間を減少させて運転するといった制御を備えている。濃度を検出するセンサーとしてはガスセンサーをその有機溶剤用に設定してものを用いることができる。濃度はおおよそ３０００ｐｐｍを超えた濃度で繰返し吸着すると破瓜してしまう。その後濃度を落とした状態では再度吸着・脱着を繰返し破瓜することなく運転できた。本システムは制御により破瓜しないように対応することが可能であるだけでなく、破瓜した場合にも再生し運転を続けることがかのうである。このことにより、有機溶剤除去システムを連続で自動運転することが可能となる。
【００７９】
（実施の形態１０）
本システムの吸着塔には加熱装置が備えられているが、加熱装置の異常が発生した場合吸着塔に備えた温度センサーにより加熱装置の異常を検知し、制御器に信号で送信できる。
【００８０】
信号を受け取った制御器はシステムを停止または運転の停止命令を出し、異常警報を発する命令を制御器につたえる制御を備えている。このことにより、有機溶剤除去システムを連続で自動運転することが可能となる。このことにより、有機溶剤除去システムを連続で自動運転することが可能となる。また、機器の異常に適切な対応ができる制御を構成することができ、使用者に対し異常を迅速に伝えることも可能となる。
【００８１】
（実施の形態１１）
図２において固定板１１と可動板１３は面で接触している。可動板の回転または移動により面で接触している可動板１３と固定板１１は面での摩擦を受け磨耗する。そこで可動板が停止時には接触しない凹凸を固定板１１、可動板１３に設ける。可動板が回転または移動時にはこの凹凸部のみが接触し他の部位は接触することなく回転または移動ができる。
【００８２】
このため前記凹凸部は接触し磨耗するが前述のベアリング材料と金属ワッシャ−を用いることで磨耗を抑えることができる。
【００８３】
また、固定板１１側にボールを埋め込み、停止時にはそのボールに接触しない凹部を可動板１３に備えることで、可動時はボールと可動板の一部が接触することになり、磨耗を抑えることができる。このことにより、有機溶剤除去システムを長期に渡りメンテナンスをすることなく連続で自動運転することが可能となる。
【産業上の利用可能性】
【００８４】
本発明は、揮発性有機化合物（ＶＯＣ）としての有機溶剤蒸気を、発生源から除去するための有機溶剤除去システムにおいて使用される有機溶剤濃縮装置として有用である。また、有機溶剤以外の物質の吸脱着、濃縮装置にも適用できる。
【図面の簡単な説明】
【００８５】
【図１】本発明の実施の形態１、３、４の有機溶剤除去装置の切替器を示す図
【図２】本発明の実施の形態２、１１の有機溶剤除去装置の切替器を示す図
【図３】本発明の実施の形態１の有機溶剤除去システム構成図
【図４】本発明の実施の形態５の固定板と可動板を示す図
【図５】従来の有機溶剤除去システム構成図
【符号の説明】
【００８６】
Ａ〜Ｆ  吸着塔
１    外筒
２    内筒
３    穴
４ａ〜ｄ  穴
５    位置センサー
６    円盤
７    モータ
８    底板
１２ａ〜ｃ  穴
１３  可動板
１４  穴
１５  モータ
１６  円盤
１７  位置センサー
２１ａ〜ｆ  切替器
２２ａ〜ｆ  切替器
【図１】
2008062174.tif 000003
【図２】
2008062174.tif 000004
【図３】
2008062174.tif 000005
【図４】
2008062174.tif 000006
【図５】
2008062174.tif 000007